(57)【要約】【課題】遮断器の軸線方向の配置寸法を縮小し、据付面積を縮小可能なガス絶縁開閉装置を得る。【解決手段】並行して配置された第１の主母線１と第２の主母線２との間に、それぞれ両側に断路器を付設した第１の遮断器３，第２の遮断器４，及び第３の遮断器５が電気的に直列接続され、第１の遮断器３と第２の遮断器４の間、及び第２の遮断器４と第３の遮断器５の間から電力を授受する分岐線が導出されたガス絶縁開閉装置において、３台の遮断器３〜５を、その軸線を主母線１，２の長手方向と直交する方向に向け、主母線１，２の長手方向に並べて配置した。【選択図】図１
2008029079.tif 000002
【特許請求の範囲】
【請求項１】
並行して配置された第１と第２の主母線間に、それぞれ両側に断路器を付設した第１，第２及び第３の遮断器が電気的に直列接続され、上記第１の遮断器と上記第２の遮断器の間、及び上記第２の遮断器と上記第３の遮断器の間から電力を授受する分岐線が導出されたガス絶縁開閉装置において、
上記３台の遮断器は、その軸線を上記両主母線の長手方向と直交する方向に向けて、上記両主母線の長手方向に並べて配置されていることを特徴とするガス絶縁開閉装置。
【請求項２】
請求項１記載のガス絶縁開閉装置において、上記分岐線は、上記第１の遮断器と上記第２の遮断器と、及び、上記第２の遮断器と上記第３の遮断器とを接続するそれぞれの水平電路から分岐線用断路器及びケーブルヘッドを介してケーブルにより引き出されており、上記ケーブルヘッドは、上記水平電路に対し近接する上記主母線側に配置されていることを特徴とするガス絶縁開閉装置。
【請求項３】
請求項１記載のガス絶縁開閉装置において、上記分岐線は、上記第１の遮断器と上記第２の遮断器と、及び、上記第２の遮断器と上記第３の遮断器とを接続するそれぞれの水平電路から分岐線用断路器及びケーブルヘッドを介してケーブルにより引き出されており、上記ケーブルヘッドは、上記水平電路に対し近接する上記主母線側の反対側に配置されていることを特徴とするガス絶縁開閉装置。
【発明の詳細な説明】
【技術分野】
【０００１】
この発明は、１−１／２ＣＢ方式のガス絶縁開閉装置に係り、特に、その配置構成に関するものである。
【背景技術】
【０００２】
ガス絶縁開閉装置の回路方式として、大容量変電所等で高い信頼性を必要とする場合に、いわゆる１−１／２ＣＢ（遮断器）構成の母線方式が採用される場合がある。この母線方式のガス絶縁開閉装置は、一対の主母線の間に、ユニット構成をなす３台の遮断器が直列接続されて配置されている。すなわち、２回線の引き出し用として３台の遮断器を使用し、母線事故の場合でも系統には影響を与えないようにすると共に、遮断器などの点検に際して、線路の停止を伴わないように配慮した方式である。このような１−１／２ＣＢ構成を採用した従来の技術として、例えば、それぞれ両側に断路器を付設した第１，第２及び第３の遮断器が電気的に直列接続され、第１及び第３の遮断器は、その各一端が主母線に接続され、第１の遮断器と第２の遮断器の間，及び第２の遮断器と第３の遮断器の間から分岐母線を導出してなるガス絶縁開閉装置において、第１，第２及び第３の遮断器に付設された相対向する断路器のいずれか一方に２方向分岐を設け、その分岐部に分岐母線を接続したガス絶縁開閉装置が開示されている。
【０００３】
【特許文献１】特開２００２−１８６１２４号公報（第２頁、図１）
【発明の開示】
【発明が解決しようとする課題】
【０００４】
特許文献１に示す従来の１−１／２ＣＢ構成のガス絶縁開閉装置は、一対の主母線間に３台の遮断器を同軸上に直列配置しているため、遮断器軸方向の寸法が大きくなり、ガス絶縁開閉装置全体として、大きな据付面積を要していた。ガス絶縁開閉装置が設置される変電設備では、屋外であれば建設用地取得の困難さ等から据付面積の縮小化の要請は大きく、また、屋内であれば建屋内スペースの制限等から、決められたスペースにいかに収納効率を上げて設置するかが大きな課題であった。
【０００５】
この発明は、上記のような課題を解消するためになされたもので、１−１／２ＣＢ構成のガス絶縁開閉装置において、特に遮断器軸線方向の配置寸法を縮小し、据付面積の縮小を可能とするガス絶縁開閉装置を提供することを目的とする。
【課題を解決するための手段】
【０００６】
この発明に係わるガス絶縁開閉装置は、並行して配置された第１と第２の主母線間に、それぞれ両側に断路器を付設した第１，第２及び第３の遮断器が電気的に直列接続され、第１の遮断器と第２の遮断器の間、及び第２の遮断器と第３の遮断器の間から電力を授受する分岐線が導出されたガス絶縁開閉装置において、３台の遮断器は、その軸線を主母線の長手方向と直交する方向に向け、主母線の長手方向に並べて配置されているものである。
【発明の効果】
【０００７】
この発明のガス絶縁開閉装置によれば、１−１／２ＣＢ構成のガス絶縁開閉装置において、３台の遮断器を、その軸線を主母線の長手方向と直交する方向に向け、主母線の長手方向に並べて配置したので、遮断器が配置される２つの主母線間の寸法を縮小でき、機器全体の据付面積の縮小が可能なガス絶縁開閉装置を得ることができる。従って、寸法制限を要求される設置環境において、限られた据付範囲内における適用性が向上する。
【発明を実施するための最良の形態】
【０００８】
実施の形態１．
以下、本発明を図に基づいて説明する。図１は、実施の形態１によるガス絶縁開閉装置の構成を示す平面図である。図２は、図１の矢印II−II方向から見た側面図（II−II矢視図）であり、同様に図３はIII−III矢視図、図４はIV−IV矢視図、図５はＶ−Ｖ矢視図、図６はVI−VI矢視図である。また、図７は、実施の形態１によるガス絶縁開閉装置の単線結線図である。先ず、図７によって、全体の機器構成を説明する。
【０００９】
図７の単線結線図に示すように、第１の主母線１と第２の主母線２との間に、第１の遮断器３，第２の遮断器４，及び第３の遮断器５が直列に接続されている。第１の遮断器３の両端部には断路器１１，１２と変流器１３、１４が付設され、同様に、第２の遮断器４の両端部には断路器２１，２２と変流器２３，２４が、第３の遮断器５の両端部には断路器３１，３２と変流器３３，３４がそれぞれ付設されている。そして送電回線あるいは変圧器等の外部へ主回路を引出すために、断路器１２と断路器２１の接続部から分岐線用断路器４１を介してケーブルヘッド４２が設けられ、ケーブルによって分岐線が導出されている。同様に、断路器２２と断路器３１の接続部から分岐線用断路器４３を介してケーブルヘッド４４が設けられ、ケーブルによって分岐線が導出されている。これは、いわゆる１−１／２ＣＢ（遮断器）と呼ばれる母線方式である。
【００１０】
分岐線の引き出しは、必ずしもケーブルに限定するものではなく、気中ブッシングでもよい。本実施の形態ではケーブル引き出しとして説明するが、気中ブッシングの場合はケーブルヘッド４２，４４の部分が気中ブッシングとなる。
また、図では、各断路器は接地開閉器付の場合を示しているが、接地開閉器付か否かは本発明の主要部ではないので、以下の説明ではこれらを単に断路器として説明する。
【００１１】
次に、本発明の特徴部分である機器の配置構成について、図１〜図６を参照しながら説明する。
図１は平面図であり、図７の結線図とは９０度方向を変えて表示している。図中に符号を付した１回線について説明する。図に示すように、並行して配置された３相一括型の第１の主母線１と第２の主母線２との間に、地面に水平に配置される横型の第１の遮断器３，第２の遮断器４，及び第３の遮断器５の３台の遮断器が、その軸線を主母線１，２の長手方向と直交する方向に向けて、主母線１，２の長手方向に並べて配置されている。そして３台の遮断器３〜５は直列接続され、第１の遮断器３の一端側が第１の主母線１に、第３の遮断器５の一端側が第２の主母線２にそれぞれ接続されている。
【００１２】
第１の遮断器３と第２の遮断器４と、及び、第２の遮断器４と第３の遮断器５とはそれぞれ水平電路で接続され、それぞれの水平電路部に分岐線用断路器４１，４３が設けられ、ケーブルヘッド４２，４４を介して、分岐線がそれぞれケーブルにより導出されている。なお、図に示す遮断器，断路器等の機器は全て３相機器である。
次に、図１の平面配置に対応する各部分の側面図を参照しながら、各部分毎に更に詳しく説明する。
【００１３】
図２（図１のII−II矢視図）は、第１の遮断器３の部分の側面図である。図のように、両主母線１，２は並行して配置されているが、高さ方向は第２の主母線２の方が第１の主母線１より高く配置されている。第１の主母線１には断路器１１が接続されており、この断路器１１に、主母線１の長手方向と直交する方向で水平方向に伸びる短母線１５が接続され、この短母線１５の軸線上に変流器１３を直結した第１の遮断器３が配置されている。第１の遮断器３の他端側には、変流器１４が垂直上方に向けて取り付けられ、更にその上方に断路器１２が設置されている。
【００１４】
次に、図３（図１のIII−III矢視図）により、第１の遮断器３と第２の遮断器４の中間部分について説明する。第１の遮断器３側の断路器１２と第２の遮断器４側の断路器２１とは、水平電路で接続され、この水平電路に分岐線用断路器４１が配設されている。実際には、水平電路を構成する導体は、分岐線用断路器４１の断路部接点と共に分岐線用断路器４１に内蔵されているので、図には現れておらず、外部から見ると３つの断路器１２，４１，２１が並んで接続された形になっている（図１参照）。これは、両遮断器３，４間をできるだけ短い距離で接続するために採用した構造であり、もし、主母線１，２の長手方向に据付面積の余裕がある場合には、水平電路を、断路器１２と断路器２１とを結ぶ短母線で構成し、その短母線の途中に分岐線用断路器４１を設けても良い。
【００１５】
分岐線用断路器４１には、ケーブルヘッド４２が接続され、分岐線としてケーブルが垂直下方の床面に向けて引き出されている。ケーブルヘッド４２は、当該水平電路に対し、近接する主母線側、すなわちこの場合は第２の主母線２側に配置されている。
【００１６】
次に、図４のIV−IV矢視図により第２の遮断器４の部分を説明する。上記の分岐線用断路器４１に接続された断路器２１の垂直下方には変流器２３が配置され、その先は第２の遮断器４の一端側に接続されている。そして、水平に配置された第２の遮断器４の他端側には変流器２４が設けられ、更に、垂直上方へ向かう短母線２５を介して断路器２２が接続されている。
【００１７】
その先は、図５のＶ−Ｖ矢視図に示すように、上記の断路器２２と次の第３の遮断器５側の断路器３１とを結ぶ水平電路に分岐線用断路器４３が接続され、この分岐線用断路器４３に、ケーブルヘッド４４が接続されている。図３の場合と同様に、水平電路部は、最短接続とするために、分岐線用断路器４３の内部を、図で紙面に垂直方向に貫通して設けられているので、図には現れていない。ケーブルヘッド４４は、当該水平電路に対し、近接する主母線側、すなわちこの場合は第１の主母線１側に配置されている。そして、分岐線であるケーブルは床面に向けて引き出されている。
【００１８】
更にその先は、図６のVI−VI矢視図に示すように、上記の分岐線用断路器４３に、第３の遮断器５に付設の断路器３１が接続され、この断路器３１は、垂直下方に向かう短母線３５と水平方向に配置した変流器３３とを介して、同軸上で水平方向に配置した第３の遮断器５の一端側に接続されている。第３の遮断器５の他端側は垂直上方に向けて配置した変流器３４を介して断路器３２の一端に接続されている。断路器３２の他端は水平方向に伸びる短母線３６を介して、断路器３２の高さと同じ高さに配置された第２の主母線２に接続されている。
【００１９】
このように、本発明のガス絶縁開閉装置は、並行して配置した第１の主母線１と第２の主母線２との間に、第１の遮断器３，第２の遮断器４，及び第３の遮断器５を、主母線間１，２を往復するように、平面から見てコの字状に２回折り曲げて、電気的に直列に接続して配置した点に第１の特徴を有するものである。
【００２０】
以上のように、実施の形態１の発明によれば、１−１／２ＣＢ構成のガス絶縁開閉装置において、３台の遮断器を、その軸線を主母線の長手方向と直交する方向に向けて、主母線の長手方向に並べて配置したので、遮断器が配置される２つの主母線間の寸法を縮小でき、機器全体の据付面積の縮小が可能なガス絶縁開閉装置を得ることができる。従って、例えば屋内の変電設備等に使用される場合であれば、限られた据付範囲内における適用性が向上し、経済性にも優れたガス絶縁開閉装置を提供することができる。
【００２１】
また、分岐線は、第１の遮断器と第２の遮断器と、及び、第２の遮断器と第３の遮断器とを接続するそれぞれの水平電路から分岐線用断路器及びケーブルヘッドを介してケーブルにより引き出すようにし、ケーブルヘッドを、水平電路に対し近接する主母線側に配置したので、上記効果に加え、ケーブルヘッドを機器の外部側から容易に点検でき、また隣接する遮断器間に形成される空間を点検スペースに利用できる。
【００２２】
実施の形態２．
図８は、実施の形態２によるガス絶縁開閉装置の構成を示す平面図である。図９は、図８の矢印IX−IX方向から見た側面図（IX−IX矢視図）であり、同様に図１０はＸ−Ｘ矢視図、図１１はXI−XI矢視図、図１２はXII−XII矢視図、図１３はXIII−XIII矢視図である。また、図１４は、実施の形態２によるガス絶縁開閉装置の単線結線図である。
本実施の形態の発明は、分岐線の引き出し方向が異なる以外は実施の形態１の発明と同等なので、同等部分は同一符号を付して説明は省略し、異なる部分を中心に説明する。
【００２３】
先ず、図１４の単線結線図で説明すれば、電気的な結線そのものは実施の形態１の図７の単線結線図と同等であり、異なるのは、分岐線が水平電路に対し近接する主母線側とは反対側に導出されている点である。以下、この相違点を平面図及び側面図で具体的に説明する。
【００２４】
図８の平面図に示すように、並行して配置した３相一括型の第１の主母線１と第２の主母線２との間に、横型の第１の遮断器３，第２の遮断器４，及び第３の遮断器５の３台の遮断器を、その軸線を主母線１，２の長手方向と直交する方向に向けて、主母線の長手方向に並べて配置し、隣接する遮断器の一端同士を、各遮断器に付設の断路器を介して水平電路で接続している点は、実施の形態１の図１と同等である。本実施の形態では、水平電路から分岐線用断路器４１，４３を介してケーブル引き出しされるケーブルヘッド４２，４４が、水平電路に対し近接する主母線側とは反対側に配置されている。
【００２５】
側面図で更に詳しく説明する。図９のIX−IX矢視図は、実施の形態１の図２と同等であるので、説明は省略する。
図１０のＸ−Ｘ矢視図において、第１の遮断器３側の断路器１２と第２の遮断器４側の断路器２１とを結ぶ水平電路に分岐線用断路器４１が配設されている。実際には、実施の形態１で説明したように、水平電路部の導体は、分岐線用断路器４１の断路部接点と共に分岐線用断路器４１に内蔵されており、分岐線用断路器４１のタンク内に、図で紙面に垂直方向に向けて配設されているが、図には現れていない。
この分岐線用断路器４１にケーブルヘッド４２が接続されている。ケーブルヘッド４２は、水平電路に対し、近接する主母線とは反対側、すなわちこの場合は近接する主母線は第２の主母線２なので、その反対側に配置されている。そして、ケーブルは床面に向けて引き出されている。
【００２６】
次の、図１１に示すXI−XI矢視図は、第２の遮断器４の部分であり、これは実施の形態１の図４と同等なので説明は省略する。
その先は、図１２のXII−XII矢視図に示すように、第２の遮断器４に付設の断路器２２と、第３の遮断器５に付設の断路器３１の間に、それらを結ぶ水平電路を内蔵した分岐線用断路器４３が配設されている。この分岐線用断路器４３にケーブルヘッド４４が接続されているが、ケーブルヘッド４４は、水平電路に対し近接する主母線とは反対側、すなわちこの場合は近接する主母線は第１の主母線１なので、その反対側に配置されている。
以下、図１３のXIII−XIII矢視図に示すように、断路器３１，短母線３５，変流器３３，第３の遮断器５，及び変流器３４を経由して，断路器３２が短母線３６を介して第２の主母線２に接続されている。
【００２７】
以上のように、実施の形態２の発明によれば、１−１／２ＣＢ構成のガス絶縁開閉装置において、３台の遮断器を、その軸線を主母線の長手方向と直交する方向に向けて、主母線の長手方向に並べて配置し、分岐線は、第１の遮断器と第２の遮断器と、及び、第２の遮断器と第３の遮断器とを接続するそれぞれの水平電路から分岐線用断路器及びケーブルヘッドを介してケーブルにより引き出すようにし、そのケーブルヘッドを、水平電路に対し近接する主母線側の反対側に配置したので、機器外側への突出が減るため、遮断器を配置する２つの主母線間の寸法を、実施の形態１の場合より更に縮小できる。このため、寸法制限を要求される設置環境において、据付範囲上の寸法制限に対しての適用性が更に向上する。
【図面の簡単な説明】
【００２８】
【図１】本発明の実施の形態１によるガス絶縁開閉装置の構成を示す平面図である。
【図２】図１の矢視II−IIから見た側面図である。
【図３】図１の矢視III−IIIから見た側面図である。
【図４】図１の矢視IV−IVから見た側面図である。
【図５】図１の矢視Ｖ−Ｖから見た側面図である。
【図６】図１の矢視VI−VIから見た側面図である。
【図７】本発明の実施の形態１によるガス絶縁開閉装置の単線結線図である。
【図８】本発明の実施の形態２によるガス絶縁開閉装置の構成を示す平面図である。
【図９】図８の矢視IX−IXから見た側面図である。
【図１０】図８の矢視Ｘ−Ｘから見た側面図である。
【図１１】図８の矢視XI−XIから見た側面図である。
【図１２】図８の矢視XII−XIIから見た側面図である。
【図１３】図８の矢視XIII−XIIIから見た側面図である。
【図１４】本発明の実施の形態２によるガス絶縁開閉装置の単線結線図である。
【符号の説明】
【００２９】
１  第１の主母線                      ２  第２の主母線
３  第１の遮断器                      ４  第２の遮断器
５  第３の遮断器                    １１，１２  断路器
１３，１４  変流器                    １５  短母線
２１，２２  断路器                    ２３，２４  変流器
２５  短母線                          ３１，３２  断路器
３３，３４  変流器                    ３５，３６  短母線
４１，４３  分岐線用断路器            ４２，４４  ケーブルヘッド。
【図１】
2008029079.tif 000003
【図２】
2008029079.tif 000004
【図３】
2008029079.tif 000005
【図４】
2008029079.tif 000006
【図５】
2008029079.tif 000007
【図６】
2008029079.tif 000008
【図７】
2008029079.tif 000009
【図８】
2008029079.tif 000010
【図９】
2008029079.tif 000011
【図１０】
2008029079.tif 000012
【図１１】
2008029079.tif 000013
【図１２】
2008029079.tif 000014
【図１３】
2008029079.tif 000015
【図１４】
2008029079.tif 000016